【事件の表示】
　商願２００６−１０２３４４拒絶査定不服審判事件について、次のとおり審決する。
【結　論】
　本件審判の請求は、成り立たない。
【理　由】
第１　本願商標 
　本願商標は、「ＢＩＴ　ＰＡＴＴＥＲＮＥＤ　ＭＥＤＩＡ」の欧文字を標準文字で表してなり、第９類「耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，写真機械器具，映画機械器具，光学機械器具，測定機械器具，配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極，消防艇，ロケット，消防車，自動車用シガーライター，事故防護用手袋，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，スロットマシン，ウエイトベルト，ウエットスーツ，浮袋，運動用保護ヘルメット，エアタンク，水泳用浮き板，レギュレーター，レコード，メトロノーム，電子楽器用自動演奏プログラムを記憶させた電子回路及びＣＤ−ＲＯＭ，計算尺，映写フィルム，スライドフィルム，スライドフィルム用マウント，録画済みビデオディスク及びビデオテープ，電子出版物」を指定商品として、平成１８年１１月２日に登録出願されたものである。 
 　　 
第２　原査定の拒絶の理由の要点 
　原査定は、「本願商標は、ハードディスクの高記録密度化に向けた次世代記録媒体（磁性層の結晶を規則的に並べ、数個の結晶粒に１ビットを対応させる磁気記録方式）として開発が進められている『ＢＩＴ　ＰＡＴＴＥＲＮＥＤ　ＭＥＤＩＡ』の文字よりなるものであるから、これをその指定商品中、上記に照応する記録媒体及び同記録媒体を搭載した各種の機械器具に使用しても、その商品の品質を表示するにすぎないものと認める。したがって、本願商標は、商標法第３条第１項第３号に該当し、前記商品以外の商品に使用するときは、商品の品質の誤認を生ずるおそれがあり、同法第４条第１項第１６号に該当する。」旨認定、判断し、本願を拒絶したものである。 
 　　 
第３　当審における証拠調べ通知 
　当審において、本願商標が商標法第３条第１項第３号及び同法第４条第１項第１６号に該当するか否かについて、職権に基づく証拠調べをした結果、以下の事実を発見したので、同法第５６条第１項で準用する特許法第１５０条第５項の規定に基づき、請求人に対して証拠調べ通知書を送付した。 
１　新聞記事情報  
（１）「次世代ＨＤＤの開発加速、国家プロジェクトが貢献――パイオニア、製造装置を開発。」の見出しのもと、「またこの装置の電子ビーム径は五ナノ（ナノは十億分の一）メートル。従来の装置では加工が難しかった精密な原盤を高効率に造れる。次世代ＨＤＤの本命といわれる『ディスクリートトラックメディア』や『ビットパターンドメディア』といった、磁気ディスクの磁性膜に溝を掘ることで隣り合うビット同士の干渉を防ぎ、記録密度を高める技術の実用化にも一歩近づいたといえる。」との記事。（2008.09.17, 日経産業新聞） 
（２）「地デジ５００時間記録、３．６テラＨＤＤ製造装置量産、パイオニア、来年から供給。」の見出しのもと、「次世代ＨＤＤ　磁気ディスクで一つのデータを納めるスペースを小型化することで記録密度を高め、既存のＨＤＤに比べ大容量化する。具体的にはディスク表面にナノメートル単位の微細な溝を掘り、隣り合う記録部分同士が干渉するのを抑える。トラック（磁気データ円周状に記録する部分）間に溝を掘る『ディスクリートトラック』や一つのデータのスペースを溝で区切って独立させる『ビットパターンドメディア』などの手法がある。」との記事。（2008.08.28 日経産業新聞） 
（３）「フラッシュ数十個で構成するＳＳＤ――ＨＤＤの牙城崩せるか（イノベーションの潮流）」の見出しのもと、「ＤＴＲよりさらに高密度にできるビットパターンドメディア（ＢＰＭ）方式の開発を進める企業もある。点状の磁性材料領域をディスク上に高密度で配置し、一個の磁性領域に一個のデータを割り当てる。」との記事。 （2008.03.13 日経産業新聞） 
２　インターネット検索情報  
（１）「富士電機アドバンストテクノロジー」のホームページ（以下、ＨＰという。）内の「ストレージメディア研究所」の標題で、「ハードディスクの高記録密度化においては、記録トラックの高密度化によるトラック間干渉の増大や、磁性粒子の微細化による熱揺らぎが問題となります。そこで、記録トラック間を分離してトラック間の干渉を低減するディスクリートトラックメディアや、記録ビット間を分離して熱安定性を高めるビットパターンドメディアの重点開発を行っています。」との記載。 （http://www.fujielectric.co.jp/fat/tec/storage.html）  
（２）「新社会システム総合研究所」のＨＰ内のレポート情報「垂直磁気記録の最新技術」の＜８＞次世代高密度化技術において、「２．パターンドメディア　ビットパターンドメディアの熱磁気設計」との記載。 （http://www.ssk21.co.jp/repo/R_R02V0166.html）  
（３）「日本磁気学会」のＨＰ内の「第１５８回研究会報告　第２４回ハイブリッド記録専門研究会報告　『次世代高密度磁気記録：パターンドメディアかハイブリッド記録か』」の標題で、「磁気記録技術が懸念する密度限界を打破する技術、ポストグラニュラー媒体の視点から有力視されている、熱アシスト磁気記録、ビットパターンドメディアの両技術に着目し、最新の研究成果をご紹介していただいた。」との記載。 （http://www.wdc-jp.com/msj/seminar/topical/158e.html ）  
（４）「ＳＢＩインテクストラ株式会社」のＨＰ内の 「ＮＥＷ　ＲＥＰＯＲＴＳ　ＨＤＤ（ハードディスク装置）関連技術〜Ｔバイト時代を迎えるＨＤＤ〜」の標題で、「【分析対象について】● 媒体の高密度化技術として、先行する『ディスクリート・トラック』、実用化に更なる時間を要する『ビット・パターンドメディア』、『熱アシスト記録』を取り上げる。● 実用化が予定される『ディスクリート・トラック』技術は垂直記録方式を採用し、実現できる記録密度は1Tビット/（平方インチ）とされている。一方、『ビット・パターンドメディア』技術、『熱アシスト記録』技術は、記録方式の転換を図ることにより、1Ｔビット/（平方インチ）超えの記録密度を可能にするといわれる。」との記載。  
 （http://www.intechstra.com/infoservice/reportnumber/no06/index.html）  
（５）電子情報通信学会技術研究報告. ＭＲ, 磁気記録（ＩＥＩＣＥ　ｔｅｃｈｎｉｃａｌ　ｒｅｐｏｒｔ.　Ｍａｇｎｅｔｉｃ　ｒｅｃｏｒｄｉｎｇ　Ｖｏｌ．１０７、Ｎｏ３２４（２００７１１０９）ｐｐ．７−１２　ＭＲ２００７−２７社団法人電子情報通信学会 ＩＳＳＮ：０９１３５６８５）の、「Ｍａｇｎｅｔｉｚａｔｉｏｎ　ｂｅｈａｖｉｏｒ　ｏｆ　ｎａｎｏｍａｇｎｅｔｓ　ｆｏｒ　ｐａｔｔｅｒｎｅｄ　ｍｅｄｉａ　ａｐｐｌｉｃａｔｉｏｎ(磁気記録・情報ストレージ・ＰＭＲＣ(Ｐｅｒｐｅｎｄｉｃｕｌａｒ　Ｍａｇｎｅｔｉｃ　Ｒｅｃｏｒｄｉｎｇ　Ｃｏｎｆｅｒｅｎｃｅ）２００７特集)Ｍａｇｎｅｔｉｚａｔｉｏｎ　ｂｅｈａｖｉｏｒ　ｏｆ　ｎａｎｏｍａｇｎｅｔｓ　ｆｏｒ　ｐａｔｔｅｒｎｅｄ　ｍｅｄｉａ　ａｐｐｌｉｃａｔｉｏｎ」の抄録では、「微細加工技術を用いて形成した磁性ドットアレイを媒体とし、１ドットに１ビットの記録を行うビットパターンドメディア(ＢＰＭ)が次世代超高密度記録の候補として注目されている」との記載。（http://ci.nii.ac.jp/naid/110006533065/）  
（６）株式会社アイメスのＨＰ内の「プレスリリース」（２００８年４月１８日）において、「ハードディスク用ヘッド・メディアテストシステム　ＲＤ−２の受注を開始」の見出しのもと、「ＲＤ−２は、当社が昨年のＤＩＳＫＣＯＮ　ＪＡＰＡＮ（ＩＤＥＭＡ主催）にて発表したＩＭＥＳ　Ｒｅｆｅｒｅｎｃｅ　Ｄｒｉｖｅアーキテクチャに基づいており、ＤＴＲ（Ｄｉｓｃｒｅｔｅ　Ｔｒａｃｋ　Ｒｅｃｏｒｄｉｎｇ　ｍｅｄｉａ）、ＢＰＭ（ＢＩＴ　Ｐａｔｔｅｒｎｅｄ　Ｍｅｄｉａ）、ＴＡＭＲ（Ｔｈｅｒｍａｌ　Ａｓｓｉｓｔｅｄ　Ｍａｇｎｅｔｉｃ　Ｒｅｃｏｒｄｉｎｇ）といった次世代ハードディスク技術の評価、試験に必要とされる高度な性能・機能を備えた世界初のシステムです。」との記載。（http://www.imes.co.jp/press_20080418.html）
（７）株式会社クレステックのＨＰ内の「製品情報」のＥＢマスタリング装置ＣＥＢＲシリーズの説明として、「次世代ＤＶＤ及び次世代ＨＤＤ（ビットパターンドメディア）用の回転ステージを使ったＥＢマスタリング装置です。」との記載。（http://www.crestec8.co.jp/japaneseF/prod/）  
（８）日経ＢＰ社のＩＴＰｒｏのＨＰ内に、「ニュース」記事において、「【海外インタビュー】記録密度は１平方インチ当たり５０テラビットまで上げられる シーゲイト・テクノロジーのデイブ・モズリー氏に聞く」の見出しのもと、「また、Ｓｅｌｆ　Ｏｒｇａｎｉｚｅｄ　Ｍａｇｎｅｔｉｃ　Ａｒｒａｙｓ（ＳＯＭＡ）やＢｉｔ　Ｐａｔｔｅｒｎｅｄ　Ｍｅｄｉａ（ＢＰＭ）ｒｅｃｏｒｄｉｎｇなどもＨＤＤへの採用を考えている。ＳＯＭＡは形もサイズもバラバラな磁性体をある程度同じ大きさ、同じ形にすることで記録密度を上げる技術だ。ＢＰＭは１ビット中の磁性体の数を少なくして、効率的に磁性体を利用する技術。これらの技術によって、記録密度は５０テラビット／平方インチに高まるだろう。ロードマップとしてはこれらの技術が採用されるようになるのは、およそ１０年後だろう。」との記載。（http://itpro.nikkeibp.co.jp/article/USNEWS/20060502/236869/） 
（９）ＩＤＥＭＡ　Ｊａｐａｎ　Ｎｅｗｓ　Ｎｏ．７４の巻頭言「ＨＤＤビジネス雑感」において、「今後も『摺り合わせ方』を維持するためには、Ｄｉｓｃｒｅｒｅ　Ｔｒａｃｋ　Ｍｅｄｉａ（ＤＴＭ），Ｂｉｔ　Ｐａｔｔｅｎｅｄ　Ｍｅｄｉａ（ＢＰＭ），Ｈｅａｔ　Ａｓｓｉｓｔｅｄ　Ｍａｇｎｅｔｉｃ　Ｒｅｃｏｒｄｉｎｇ（ＨＡＭＲ）の様な技術により、数年以内に６００Ｇｂｉｔ／ｉｎ２、５年以内に１〜２Ｔｂｉｔ／ｉｎ２の技術開発が必要である。」のとの記載。（http://www.idema.gr.jp/news/74/kanto.pdf）
（１０）「１Ｔｂｉｔ／平方インチの高密度ＨＤＤを既存技術で実現〜２０１１年には１プラッタ当たり約１．３ＴＢに」の見出しのもと、「パターンメディア技術。隣接するトラックの間に溝を設けるＤＴＭ（Ｄｉｓｃｒｅｔｅ　Ｔｒａｃｋ　Ｍｅｄｉａ)技術、磁性ドットのアレイを設けて１個のドットに１ビットのデータを記録するＢＰＭ（Ｂｉｔ　Ｐａｔｔｅｎｅｄ　Ｍｅｄｉａ)技術が代表例である」との記載。（http://pc.watch.impress.co.jp/docs/2008/0528/src.htm） 
（１１）「ＨＯＹＡのナノインプリント用モールド」の見出しのもと、「当社では、半導体の最先端プロセス開発用途とＨＤＤ／Ｂｉｔ　Ｐａｔｔｅｒｎｅｄ　Ｍｅｄｉａ（ＢＰＭ）開発用途を「極微細加工技術の開発」のドライバーと位置付け、ｈｐ２２ｎｍノード半導体プロセス開発用、及び、３５ｎｍ　ｐｉｔｃｈ　ＢＰＭ開発用モールドの開発試作を急ピッチで進めております。」との記載。（http://nanoimprint.jp/38_39.pdf） 
 　　  
第４　証拠調べに対する意見 
　前記第３の「証拠調べ通知」に対して、請求人からは何らの意見、応答もなかった。 
 　 　　 
第５　当審の判断 
　本願商標は、前記第１のとおり「ＢＩＴ　ＰＡＴＴＥＲＮＥＤ　ＭＥＤＩＡ」の欧文字を標準文字で表してなるところ、前記第３の証拠調べによれば、該文字及びその表音を片仮名文字で表したと認められる「ビットパターンドメディア」の文字は、本願指定商品中、電気通信機械器具、電子応用機械器具及びその部品など記録媒体（メディア）を取り扱う業界においては、ハードディスクの高密度化のための開発が進む中で、さらなる高密度化のための技術として、磁性材料領域をディスク上に高密度で配置し、１個の磁性領域に１個のデータを割り当てた磁気記録方式による記録媒体を、「ＢＩＴ　ＰＡＴＴＥＲＮＥＤ　ＭＥＤＩＡ」と称している実情にあるといい得るものである。 
　そして、上記業界においては、記録方式が高密度化された「ＨＤＤ（ハードディスクドライブ）」を採用していることを謳う商品が取引されているというのが相当であるから、本願商標を指定商品中、このような記録方式の高密度化が進んでいるハードディスクドライブを採用する商品、すなわち、「磁性材料領域をディスク上に高密度で配置し、１個の磁性領域に１個のデータを割り当てた記磁気記録方式による記録媒体を採用したハードディスクドライブ，同磁気記録方式による記録媒体を採用したビデオカメラ，同磁気記録方式による記録媒体を採用した乗物用ナビゲーション装置，同磁気記録方式による記録媒体を採用した電子計算機，同磁気記録方式による記録媒体を採用した業務用テレビゲーム機，同磁気記録方式による記録媒体を採用した家庭用テレビゲームおもちゃ」に使用するときは、これに接する取引者、需要者は、「磁性材料領域をディスク上に高密度で配置し、１個の磁性領域に１個のデータを割り当てた磁気記録方式で記録された記録媒体」あるいは「同記録媒体を組み込んだ商品」であると理解し、単に商品の品質、機能を表示したものと認識し、把握するにとどまるというべきであるから、自他商品の識別標識としての機能を有する商標とは認識し得ないものといわざるを得ない。 
　また、本願商標を上記商品以外の「電気通信機械器具，電子応用機械器具及びその部品，業務用テレビゲーム機，家庭用テレビゲームおもちゃ」について使用するときは、商品の品質、機能について誤認を生じさせるおそれがあるものというべきである。 
　したがって、本願商標が商標法第３条第１項第３号及び同法第４条第１項第１６号に該当するとして、本願を拒絶した原査定は、妥当であって、取り消すことはできない。  
　よって、結論のとおり審決する。